(57)【要約】【課題】  傾斜状態に配置された軒天部分を換気する際に雨水の侵入の虞のない軒天換気構造体を提供する。【解決手段】  軒天換気構造体１７は、鋼板のプレス加工によって形成された軒天部材２０と、軒天部材２０内に取り付けられた合成樹脂よりなる換気部材３０とから構成されている。軒天部材２０は、垂直方向に延びる第１垂直部と、第１垂直部の上端側に接続され、外方に向かって水平方向に延びる第１水平部と、第１水平部の外方側に接続され、垂直下方に延びる第２垂直部と、第２垂直部の下方側に接続され、外方に向かって水平方向に延びると共に長手方向に所定間隔で複数の開口が形成された第２水平部と、第２水平部の外方側に接続され、垂直上方に延びる第３垂直部とから構成されている。取付けに際しては、第１垂直部を妻壁材４９の内方側に設置し、第３垂直部を破風５２の内方側に設置することで、軒天部分の換気及び防水性が確保される。【選択図】  図８
2014031640.tif 000002
【特許請求の範囲】
【請求項１】
妻壁材とその上方に設置される破風との間の部分に設置する軒天換気構造体であって、
前記妻壁材の内方側に対して垂直方向に延びる第１垂直部と、前記第１垂直部の上端側に接続され、外方に向かって水平方向に延びる第１水平部と、前記第１水平部の外方側に接続され、前記妻壁材の上端部の外方側に対して垂直下方に延びる第２垂直部と、前記第２垂直部の下方側に接続され、外方に向かって水平方向に延びると共に長手方向に所定間隔で複数の開口が形成された第２水平部と、前記第２水平部の外方側に接続され、前記破風の内方側に対して垂直上方に延びる第２垂直部とからなる軒天部材と、
前記第２垂直部の内面と前記第３垂直部の内面との間に取り付けられ、前記幅方向の断面が多角形形状を有すると共に前記長手方向に延びる棒形状を有し、下方面から上方面へ貫通する複数の通気孔を有する換気部材とを備えた、軒天換気構造体。
【請求項２】
前記第２水平部の内面と前記換気部材の前記下方面との間に空間が設けられる、請求項１記載の軒天換気構造体。
【請求項３】
前記空間に面する第２垂直部及び第３垂直部の内面の各々の少なくとも一方に膨張材が設置される、請求項２記載の軒天換気構造体。
【請求項４】
前記妻壁材は前記妻壁下地材の外面に取付けられた胴縁を介して取付けられ、
前記軒天部材の前記第１垂直部は、前記妻壁材と前記胴縁との間に配置され、前記胴縁に取り付けられると共に、前記妻壁材の上端部は、前記第１垂直部と前記第２垂直部との間に配置される、請求項１から請求項３の何れかに記載の軒天換気構造体。
【請求項５】
前記換気部材は、前記長手方向において前記軒天部材の一方端から突き出ると共に前記軒天部材の他方端から凹むように前記軒天部材に取付けられる、請求項１から請求項４の何れかに記載の軒天換気構造体。
【請求項６】
前記換気部材は、各々が凹凸断面形状を有する合成樹脂シートを複数積層した状態で熱融着によって一体化され、前記通気孔はその断面がほぼ１ｍｍ×４ｍｍの長方形形状を有すると共に、その長さが少なくとも２０ｍｍである、請求項１から請求項５の何れかに記載の軒天換気構造体。
【発明の詳細な説明】
【技術分野】
【０００１】
この発明は軒天換気構造体に関し、特に妻壁材上部と破風下部との間の軒天部分の換気を行う軒天換気構造体に関するものである。
【背景技術】
【０００２】
図１１は、一般的な切妻屋根を有する家屋の妻側の端部を表した概略図であり、図１２は図１１のＸＩＩ−ＸＩＩラインの拡大断面図であり、図１３は図１２のＸＩＩＩ−ＸＩＩＩラインの拡大断面図である。
【０００３】
これらの図を参照して、切妻屋根の妻側端部の上端には、けらば水切４６が屋根の傾斜に沿って配置され、その下部には同じく屋根の傾斜に沿った破風５２が設置されている。破風５２の内方側には妻壁材４９が設置されている。尚、妻壁材４９はその内方側に設置された妻壁下地材４０に胴縁４１を介して取り付けられている。
【０００４】
破風５２の下端部と妻壁材４９の上端部との間にはスペースが設けられ、このスペースを覆うように断面Ｌ字状の軒天換気構造体７３が破風５２及び妻壁材４９の各々にビス等を介して取り付けられている。
【０００５】
図１３に示されているように、軒天換気構造体７３の上面にはその長手方向に所定間隔の開口７５が形成されている。これによって、図１２の矢印に示すように妻壁材４９と妻壁下地材４０との間の空間や小屋裏空間５４の熱気等が軒天換気構造体７３の開口７５を介して屋外に自然排出されて換気が行われ、家屋の温度環境を改善し耐久性を向上させる。
【発明の概要】
【発明が解決しようとする課題】
【０００６】
上記のような従来の軒天換気構造体では通常時には問題がないが、雨天時等に不具合を生じることがある。軒天換気構造体７３は図１１から明らかなように、開口７５が形成されている面は屋根の傾斜に沿って同様に傾斜している。従って、破風５２の部分（軒天部分）に下方から雨等が降り込んだ時、雨水は軒天換気構造体７３の開口７５の形成面に沿って下方に伝い落ちることになる。
【０００７】
そうすると、軒天換気構造体７３の傾斜下方端に雨水が多く集中することになり、場合によってはその雨水が開口７５を介して家屋内部に侵入し、屋内に雨漏れが生じることにもなり兼ねない。
【０００８】
この発明は上記のような課題を解決するためになされたもので、傾斜状態に配置された軒天部分を換気する際に雨水の侵入の虞のない軒天換気構造体を提供することを目的とする。
【課題を解決するための手段】
【０００９】
上記の目的を達成するために、請求項１記載の発明は、妻壁材とその上方に設置される破風との間の部分に設置する軒天換気構造体であって、妻壁材の内方側に対して垂直方向に延びる第１垂直部と、第１垂直部の上端側に接続され、外方に向かって水平方向に延びる第１水平部と、第１水平部の外方側に接続され、妻壁材の上端部の外方側に対して垂直下方に延びる第２垂直部と、第２垂直部の下方側に接続され、外方に向かって水平方向に延びると共に長手方向に所定間隔で複数の開口が形成された第２水平部と、第２水平部の外方側に接続され、破風の内方側に対して垂直上方に延びる第２垂直部とからなる軒天部材と、第２垂直部の内面と第３垂直部の内面との間に取り付けられ、幅方向の断面が多角形形状を有すると共に長手方向に延びる棒形状を有し、下方面から上方面へ貫通する複数の通気孔を有する換気部材とを備えたものである。
【００１０】
このように構成すると、換気部材は軒天部材に一体化される。
【００１１】
請求項２記載の発明は、請求項１記載の発明の構成において、第２水平部の内面と換気部材の下方面との間に空間が設けられるものである。
【００１２】
このように構成すると、換気部材の通気孔の有効範囲が増大する。
【００１３】
請求項３記載の発明は、請求項２記載の発明の構成において、空間に面する第２垂直部及び第３垂直部の内面の各々の少なくとも一方に膨張材が設置されるものである。
【００１４】
このように構成すると、火災時に換気部材を介しての通気が遮断される。
【００１５】
請求項４記載の発明は、請求項１から請求項３の何れかに記載の発明の構成において、妻壁材は妻壁下地材の外面に取付けられた胴縁を介して取付けられ、軒天部材の第１垂直部は、妻壁材と胴縁との間に配置され、胴縁に取り付けられると共に、妻壁材の上端部は、第１垂直部と第２垂直部との間に配置されるものである。
【００１６】
このように構成すると、軒天部材と妻壁材とが係合状態になる。
【００１７】
請求項５記載の発明は、請求項１から請求項４の何れかに記載の発明の構成において、換気部材は、長手方向において軒天部材の一方端から突き出ると共に軒天部材の他方端から凹むように軒天部材に取付けられるものである。
【００１８】
このように構成すると、隣接する軒天換気構造体の連結が容易となる。
【００１９】
請求項６記載の発明は、請求項１から請求項５の何れかに記載の発明の構成において、換気部材は、各々が凹凸断面形状を有する合成樹脂シートを複数積層した状態で熱融着によって一体化され、通気孔はその断面がほぼ１ｍｍ×４ｍｍの長方形形状を有すると共に、その長さが少なくとも２０ｍｍとしたものである。
【発明の効果】
【００２０】
以上説明したように、請求項１記載の発明は、換気部材は軒天部材に一体化されるので、軒天部分への取付が容易で通気機能及び防水機能の信頼性が向上する。
【００２１】
請求項２記載の発明は、請求項１記載の発明の効果に加えて、換気部材の通気孔の有効範囲が増大するので換気効率が向上する。
【００２２】
請求項３記載の発明は、請求項２記載の発明の効果に加えて、火災時に換気部材を介しての通気が遮断されるので火災時の安全性が向上する。
【００２３】
請求項４記載の発明は、請求項１から請求項３の何れかに記載の発明の効果に加えて、軒天部材と妻壁材とが係合状態になるので軒天部材の取付け状態が安定する。
【００２４】
請求項５記載の発明は、請求項１から請求項４の何れかに記載の発明の効果に加えて、隣接する軒天換気構造体の連結が容易となるので、複数の連続した軒天換気構造体の取り付け作業が効率化する。
【００２５】
請求項６記載の発明は、請求項１から請求項５の何れかに記載の発明の効果に加えて、一定要件下における水の侵入が確実に阻止されるため、軒下換気構造体の軽量化及びコスト低減に寄与する。
【図面の簡単な説明】
【００２６】
【図１】この発明の第１の実施の形態による軒天換気構造体の外観形状を示した正面図である。
【図２】図１に示した軒天換気構造体の外観形状を示した底面図である。
【図３】図１に示したＩＩＩ−ＩＩＩラインの拡大断面図である。
【図４】図１に示した軒天換気構造体において使用されている換気部材の外観形状を示した斜視図である。
【図５】図１に示した軒天換気構造体の軒天部分への第１の取付工程を示した概略端面図である。
【図６】図５に示した第１の取付工程に続く、軒天換気構造体の軒天部分への第２の取付工程を示した概略端面図である。
【図７】図６に示した第２の取付工程に続く、軒天換気構造体の軒天部分への第３の取付工程を示した概略端面図である。
【図８】図７に示した第３の取付工程が完了した、軒天換気構造体の軒天部分への取付状態を示した概略端面図である。
【図９】この発明の第２の実施の形態による軒天換気構造体の概略形状を示した断面図であって、先の実施の形態による図３に対応した図である。
【図１０】図９で示した軒天換気構造体の軒下換気部分への取付状態を示した概略端面図である。
【図１１】一般的な切妻屋根を有する家屋の妻側の端部を表した概略図である。
【図１２】図１１のＸＩＩ−ＸＩＩラインの拡大断面図である。
【図１３】図１２のＸＩＩＩ−ＸＩＩＩラインの拡大断面図である。
【発明を実施するための形態】
【００２７】
図１は、この発明の第１の実施の形態による軒天換気構造体の外観形状を示した正面図であり、図２は、図１に示した軒天換気構造体の外観形状を示した底面図であり、図３は、図１に示したＩＩＩ−ＩＩＩラインの拡大断面図である。
【００２８】
これらの図を参照して、軒天換気構造体１７は、鋼板のプレス加工によって形成された軒天部材２０と、軒天部材２０内に取り付けられた合成樹脂よりなる換気部材３０とから構成されている。
【００２９】
軒天部材２０は、図３に示されているように、垂直方向に延びる第１垂直部２２と、第１垂直部２２の上端側に接続され、外方（図において左側）に向かって水平方向に延びる第１水平部２３と、第１水平部２３の外方側に接続され、垂直下方に延びる第２垂直部２４と、第２垂直部２４の下方側に接続され、外方に向かって水平方向に延びると共に長手方向（図を貫通する方向）に所定間隔で複数の開口が形成された第２水平部２５と、第２水平部２５の外方側に接続され、垂直上方に延びる第３垂直部２６とから構成されている。
【００３０】
尚、第１垂直部２２の下端部は外方側に折り返されて折り返し片３２を構成し、第３垂直部２６の上端部は内方側に折り曲げられて折り曲げ片３５を構成する。折り曲げ片３５は、軒天部材２０の端部から挿入された換気部材３０の図３における上方への抜け止め効果を発揮する。
【００３１】
換気部材３０は、幅方向（図３の左右方向）の断面が台形形状の多角形形状を有する共に長手方向（図３の紙面の貫通方向）に延びる棒形状に形成されている。そして、換気部材３０は軒天部材２０の第２垂直部２４の内面と第３垂直部２６の内面との間に接着剤又は両面テープ等によって取付けられており、その下方面は軒天部材２０の第２水平部２５の内面に当接状態となっている。
【００３２】
又、図１で示すように、換気部材３０は、長手方向において軒天部材２０の一方端（図１の右端）から突き出ると共に軒天部材２０の他方端（図１の左端）から凹むように、軒天部材２０に取付けられている。この理由については後述する。
【００３３】
ここで、換気部材３０の詳細な構造及び効果について説明する。
【００３４】
図４は、図１に示した軒天換気構造体において使用されている換気部材の外観形状を示した斜視図である。
【００３５】
図を参照して、上述した通り、換気部材３０は幅方向の断面が台形形状を有し、長手方向に対しては軒天部材の長手方向の長さとほぼ同一長さを有する棒形状を有している。具体的には、換気部材３０は各々が凹凸断面形状を有する合成樹脂シートを複数積層した状態で熱融着によって相互に接続して一体化されている。そして、一方側面（下方面）から他方側面（上方面）へ貫通する通気孔３７が多数形成されている。
【００３６】
この実施の形態においては、矩形断面形状の幅方向の長さＡは１９ｍｍであり、一方の高さに相当する長さＢは軒天部材２０ｍｍであり、他方の高さに相当する長さＣは４０ｍｍとなっている。又、通気孔３７はほぼ１ｍｍ×４ｍｍの長方形形状の開口寸法に設定されている。尚、このような換気部材３０は、特許第２６１０３４２号において開示されている棟カバー材と基本的に同一構造である。これによって一定条件下にあっては、換気部材３０は通気孔３７を介しての通気を可能にすると共に、通気孔３７を介しての雨水や虫等の侵入を阻止する通気性能及び防水性能を発揮するものとなる。そして、このような換気部材３０を使用することによって、軒天換気構造体の軽量化及びコスト低減に寄与することにもなる。
【００３７】
このように、図１で示した軒天換気構造体１７は、軒天部材２０と通気性能及び防水性能を発揮する換気部材３０とを一体化したものである。
【００３８】
次に、図１で示した軒天換気構造体１の軒天部分への取付けについて説明する。
【００３９】
図５は、図１に示した軒天換気構造体の軒天部分への第１の取付工程を示した概略端面図である。
【００４０】
図を参照して、まず、妻壁下地材４０の外面に長手方向（図を貫通する方向）に所定間隔で複数の胴縁４１を取り付ける。一方、小屋裏空間５４の上方には、垂木４３ａ、垂木４３ｂが配置され、その上に屋根下地材４４が設置される。屋根下地材４４の妻側端部にけらば水切４６が取り付けられ、その一部に重なるように屋根材４７が設置される。
【００４１】
このような状態において、胴縁４１の上端部に軒天換気構造体１７の第１垂直部２２が当接するようにして配置し、軒天換気構造体１７を屋根材４７の斜め状態に沿わした状態でビス止めして胴縁４１に固定する。このように、軒天換気構造体１７は前もって配置された胴縁４１を基準に固定すれば良いため、取付け作業が容易となる。
【００４２】
図６は、図５に示した第１の取付工程に続く、軒天換気構造体の軒天部分への第２の取付工程を示した概略端面図である。
【００４３】
図を参照して、第１の取付工程によって胴縁４１に固定された軒天換気構造体１７に対して妻壁材４９を設置する。ここで、軒天換気構造体１７の第１垂直部２２、第１水平部２３及び第２垂直部２４で構成される空間の幅（図において左右方向）は、妻壁材４９の厚さ以上となるように設定されている。そこで、妻壁材４９を軒天換気構造体１７の下方からこの空間に挿入させるように上方に移動させる。これによって、妻壁材４９を軒天換気構造体１７の第１垂直部２２及び第２垂直部２４が挟んだ状態となり、軒天換気構造体１７の設置状態が安定する。
【００４４】
図７は、図６に示した第２の取付工程に続く、軒天換気構造体の軒天部分への第３の取付工程を示した概略端面図である。
【００４５】
図を参照して、第２の取付工程によって軒天換気構造体１７に対して妻壁材４９が取り付けられた状態で垂木４３ａの外方側に破風下地材５１を設置して破風５２の取付準備を行う。この状態で、けらば水切４６を避けるようにして破風５２を下方から斜め上方に移動させて取り付ける。具体的には、破風５２は軒天換気構造体１７に対しては第３垂直部２６の外面に接着剤又は両面テープを用いて固定し、破風下地材５１に対しては釘等を用いて固定する。
【００４６】
図８は、図７に示した第３の取付工程が完了した、軒天換気構造体の軒天部分への取付状態を示した概略端面図である。
【００４７】
図を参照して、第３の取付工程が完了すると、妻壁材４９の上端部と破風５２の下端部との間のスペースとなる軒天部分が軒天換気構造体１７によって完全に塞がれた状態となる。そして、上述した通り、通気性能及び防水性能を有する換気部材３０は、軒天部分の形状に対応した軒天部材２０に一体化された状態となっている。そのため、軒天部分への取付けが容易になると共に、通気機能及び防水機能の信頼性が向上する。すなわち、軒天換気構造体１７の換気部材３０は上述のように水は通しにくく、通気性は高いものであるから、小屋裏空間５４や妻壁下地材４０と妻壁材４９との間の空間の換気が軒天部分を介して確実に行われる。又、軒天換気構造体１７の下面は従来例と同様に傾斜状態に配置されることには変わりがないが、換気部材３０が組み込まれているため傾斜面に伝って流れる雨水の侵入を確実に防止することができる。
【００４８】
又、上述した通り、換気部材３０は、長手方向において軒天部材２０の一方端から突き出ると共に軒天部材２０の他方端から凹むように軒天部材２０に取付けられている。従って、図１で示すように、長手方向に対して複数の軒天換気構造体１７を連続して設置するような場合には、軒天換気構造体１７における換気部材３０の突き出た部分を、二点鎖線で示す隣接する軒天換気構造体の軒天部材内に差し込んで設置すれば良い。これによって、隣接する軒天換気構造体１７の連結が位置ずれすることなく容易となるため、複数の連続した軒天換気構造体１７の取付作業が効率化する。尚、長手方向に連結する複数の軒天換気構造体１７の両端部の各々においては、換気部材３０が軒天部材２０の一方端を突き出た位置から他方端まで取付けられた長めのものと、換気部材３０が軒天部材２０の一方端から他方端の凹む位置まで取付けられた短めのものとを使用すれば良い。
【００４９】
そして、通気状態にあっては、図８の矢印で示されているように、小屋裏空間５４等の建物内の空気は軒天換気構造体１７側へ移動し、換気部材３０の通気孔を介して外方側に通過する。そして、換気部材３０を通過した空気は、軒天部材２０の開口３３の各々を介して、外方側へと移動する。一方、外部の空気が建物内に侵入する状況の場合には、図の矢印と反対の流れになる。
【００５０】
図９は、この発明の第２の実施の形態による軒天換気構造体の概略形状を示した断面図であって、先の実施の形態による図３に対応した図であり、図１０は、図９で示した軒天換気構造体の軒下換気部分への取付状態を示した概略端面図である。
【００５１】
この軒天換気構造体は、基本的な構成及び取付け状態は先の実施の形態によるものと変わらないため、相違点を中心に説明する。
【００５２】
まず、図９を参照して、換気部材３０が軒天部材２０の第２垂直部２４、第２水平部２５及び第３垂直部２６に囲まれたスペースに収容されている点は同一であるが、この実施の形態にあっては、換気部材３０の下面と第２水平部２５の上面との間に空間５６（寸法Ｌは１０〜１５ｍｍ程度）が設けられている点が異なっている。そして、空間５６に面する第２垂直部２４及び第２水平部２５の内面には対向するように一対の膨張材５８ａ及び膨張材５８ｂが設置されている。ここで膨張材５８ａ及び膨張材５８ｂは、火災等で雰囲気温度が所定温度以上に上昇すると膨張して空間５６に充満し、通気を遮断する機能を有するものである。
【００５３】
一方、通常時は第２水平部２５の開口３３を塞ぐものではないことから、軒天換気構造体１７の換気性能に影響を及ぼすものではなく、先の実施の形態による軒天換気構造体と同様の換気機能と防水機能とを発揮する。
【００５４】
次に、図１０を参照して、軒天換気構造体１７の設置状態は先の実施の形態と何ら変わらないが、火災等で周辺温度が所定値以上に上昇すると、上述のように膨張材５８ａ及び膨張材５８ｂが膨張して軒天換気構造体１７の通気状態を遮断する。これによって、家屋外方の火が軒天換気構造体１７を介して小屋裏空間５４等に飛び火することが阻止され、火災の被害が拡大することを抑制することが期待できる。
【００５５】
尚、上記の実施の形態では、空間５６に膨張材５８ａ及び膨張材５８ｂが設置されているが、空間５６のみを確保するようにしても良い。この場合、換気部材３０の下面の一部が第２水平部２５によって塞がれることがなくなり、全ての通気孔が空間５６を介して通気可能な状態となるため、換気部材３０の通気機能がより増大するものとなり好ましい。
【００５６】
又、上記の各実施の形態にあっては、換気部材の寸法、形状を特定しているが、同様の通気性能及び防水性能を発揮するものであって、幅方向の断面が多角形形状を有していれば、他の寸法、形状であっても良い。この場合、特許第２６１０３４２号の明細書に記載されている風雨試験と同一の条件で同一の効果を奏するものであることが好ましい。
【００５７】
更に、上記の各実施の形態にあっては、軒天部材の第２水平部に形成された開口は特定形状を有しているが、他の形状による開口であっても良い。
【００５８】
更に、上記の各実施の形態にあっては、換気部材の両端は軒天部材に対して一方が突き出て他方が凹んでいるが、軒天部材の両端に整列するようにしても良い。
【００５９】
更に、上記の各実施の形態にあっては、軒天部材の端部に折り返し片及び折り曲げ片が形成されているが、これらはなくても良い。
【００６０】
更に、上記の第２の実施の形態にあっては、膨張材は一対設けられているが、少なくとも一方が設けられていれば良い。
【符号の説明】
【００６１】
１７…軒天換気構造体
２０…軒天部材
２２…第１垂直部
２３…第１水平部
２４…第２垂直部
２５…第２水平部
２６…第３垂直部
３０…換気部材
３３…開口
３７…通気孔
５６…空間
５８…膨張材
尚、各図中同一符号は同一又は相当部分を示す。
【図１】
2014031640.tif 000003
【図２】
2014031640.tif 000004
【図３】
2014031640.tif 000005
【図４】
2014031640.tif 000006
【図５】
2014031640.tif 000007
【図６】
2014031640.tif 000008
【図７】
2014031640.tif 000009
【図８】
2014031640.tif 000010
【図９】
2014031640.tif 000011
【図１０】
2014031640.tif 000012
【図１１】
2014031640.tif 000013
【図１２】
2014031640.tif 000014
【図１３】
2014031640.tif 000015